(57)【要約】【課題】ビデオカメラによって記録した動画像の映像信号の中から、代表的なフレームを自動的に検索することを可能にする。【解決手段】被写体の像は、撮像素子１で光電変換され、信号処理回路２で白バランス処理、ＡＧＣ処理などを施した後、映像信号として多重化回路６に供給される。信号処理において、設定した白バランスの色温度、ＡＧＣのゲイン、撮像画像から検出したカメラの手ぶれの速度、電子ズームのオン／オフ、および電子ズームの倍率などは、信号処理時の操作情報として、操作情報獲得回路５に供給される。また、撮影者によるスイッチ３の操作に関する情報、およびセンサー回路４が検知した信号は、操作情報獲得回路５に供給される。このようにして記録した操作情報に基づいて代表フレームを検索することが可能となる。【選択図】図２
2006246540.tif 000002
【特許請求の範囲】
【請求項１】
被写体を撮影し、画像の映像信号を生成する撮像手段と、
前記撮像手段による撮影時のカメラ操作情報を獲得する操作情報獲得手段と、
前記撮像手段からの映像信号と、前記操作情報獲得手段からのカメラ操作情報とを多重した記録信号を、記録媒体に記録する記録手段と、
前記記録媒体を再生し、画像の映像信号とカメラ操作情報とを出力する再生手段と、
前記再生手段が出力したカメラ操作情報画像が特定の条件を満足する画像を代表画像として前記再生した映像信号から抽出する代表画像抽出手段と、
前記抽出した代表画像の縮小画像を複数枚組み合わせてマルチ画面を構成するマルチ画面生成手段と、
前記マルチ画面の中から、再生したい代表画像を選択する代表画像選択手段と、
前記代表画像選択手段で選択した代表画像を再生する代表画像再生手段とを備え、
前記代表画像再生手段は、前記選択した代表画像を含み、この選択した代表画像の前特定数の画像と、この選択した代表画像の後ろ特定数の画像とを再生することを特徴とするビデオカメラシステム。
【請求項２】
画像の映像信号と撮影時のカメラ操作情報とが多重記録された媒体を再生し、画像の映像信号とカメラ操作情報とを出力する再生手段と、
前記再生手段が出力したカメラ操作情報画像が特定の条件を満足する画像を代表画像として前記再生した映像信号から抽出する代表画像抽出手段と、
前記抽出した代表画像の縮小画像を複数枚組み合わせてマルチ画面を構成するマルチ画面生成手段と、
前記マルチ画面の中から、再生したい代表画像を選択する代表画像選択手段と、
前記代表画像選択手段で選択した代表画像を再生する代表画像再生手段とを備え、
前記代表画像再生手段は、前記選択した代表画像を含み、この選択した代表画像の前特定数の画像と、この選択した代表画像の後ろ特定数の画像とを再生することを特徴とするビデオカメラシステム。
【発明の詳細な説明】
【技術分野】
【０００１】
本発明は、画像の映像信号を、テープ、ディスクもしくは半導体メモリ等の媒体に記録し、その媒体に記録された画像の中から画像の内容を表わす代表的な画像を抽出して出力するビデオカメラシステムに関するものである。
【背景技術】
【０００２】
図１６は特許文献１に開示されている従来のビデオカメラシステムの構成を示し、１０１は映像信号入力端子、１０２は電子ビューファインダ、１０３はレコーダ部、１０４は外部映像出力端子、１０５はキャラクタジェネレータ回路、１０６は録画開始トリガ端子、１０７はタイマ回路である。図１６において、キャラクタジェネレータ回路１０５は、映像信号に文字パターンをスーパーインポーズしてＳＷ１に出力する。タイマ回路１０７は、録画開始トリガのタイミングから所定の時間ＳＷ１をＢ１側に設定し、その後、ＳＷ１をＡ１側に切り替える。これによって、ＥＶＦ１０２、レコーダ部１０３および外部映像出力端子１０４が、表示、記録および出力する信号は、録画開始トリガのタイミングから所定の時間は文字パターンをスーパーインポーズした映像信号となり、その後はスーパーインポーズのない映像信号となる。
【０００３】
特許文献２に示されている従来のビデオカメラシステムでは、録画開始トリガボタンが押される毎に、撮像した画像の縮小画像を画像メモリに書き込むことにより、記録画像の検索を可能にしている。
【０００４】
特許文献３に示されている従来の磁気記録再生装置では、時刻情報等のデータ信号を映像信号の垂直帰線消去期間中に重畳して記録することにより、映像信号に障害を与えることなくデータ信号のみを分離抽出して検索、編集等に利用可能にしている。
【特許文献１】特開平４−２２００９０号公報
【特許文献２】特開平２−２１４２７１号公報
【特許文献３】特開平１−２４６９７３号公報
【発明の開示】
【発明が解決しようとする課題】
【０００５】
しかしながら、上記の構成のビデオカメラシステムで記録した画像から、画像の内容を表わす代表的なフレームを検索することは困難である。例えば、特許文献１のビデオカメラシステムによって記録された画像から、特定の文字パターンがスーパーインポーズされたフレームを検索するためには、映像信号から文字パターンを分離し、分離した文字パターンと検索したい文字パターンとを照合する必要があり、これを実現することは困難である。
【０００６】
また、特許文献２のビデオカメラシステムによって記録した画像では、録画開始トリガボタンを押した瞬間の画像しか検索できず、その瞬間が必ずしも最も代表的なフレームでないことから、代表フレームの検索精度が低い。
【０００７】
また、特許文献３の磁気記録再生装置において記録するデータ信号は、時刻とフレーム番号以外に示されておらず、それらだけでは自動的に代表フレームを検索できない。
【０００８】
本発明はかかる点に鑑み、記録した画像の内容を表わす代表的なフレームもしくはフィールドを自動的に検索できるビデオカメラシステムを提供しようとするものである。
【課題を解決するための手段】
【０００９】
本発明のビデオカメラシステムは、被写体を撮影し、画像の映像信号を生成する撮像手段と、前記撮像手段による撮影時のカメラ操作情報を獲得する操作情報獲得手段と、前記撮像手段からの映像信号と、前記操作情報獲得手段からのカメラ操作情報とを多重した記録信号を、記録媒体に記録する記録手段と、前記記録媒体を再生し、画像の映像信号とカメラ操作情報とを出力する再生手段と、前記再生手段が出力したカメラ操作情報画像が特定の条件を満足する画像を代表画像として前記再生した映像信号から抽出する代表画像抽出手段と、前記抽出した代表画像の縮小画像を複数枚組み合わせてマルチ画面を構成するマルチ画面生成手段と、前記マルチ画面の中から、再生したい代表画像を選択する代表画像選択手段と、前記代表画像選択手段で選択した代表画像を再生する代表画像再生手段とを備え、前記代表画像再生手段は、前記選択した代表画像を含み、この選択した代表画像の前特定数の画像と、この選択した代表画像の後ろ特定数の画像とを再生することを特徴とするものである。
【発明の効果】
【００１０】
本発明のビデオカメラシステムによれば、撮像した画像の映像信号とカメラの操作情報とを多重化して記録する。再生信号から、代表的なフレームもしくはフィールド（これらを総称して代表画像と呼ぶ）を自動的に抽出し、複数の代表画像の縮小画面で構成したマルチ画面を生成することができる。このマルチ画面によって、記録した画像の内容を一目で知ることができ、使用者がこのマルチ画面の中から再生したい代表画像を選択すると、この代表画像を含む前後の画像が再生できる。
【発明を実施するための最良の形態】
【００１１】
以下、本発明を実施するための最良の形態について図面を参照しながら説明する。
【００１２】
（実施の形態１）
本発明の実施の形態１におけるビデオカメラシステムの構成を図１に示す。図１において、６０は記録部、６１は記録媒体、６２はマルチ画面の出力部、６３はビデオプリンタである。本ビデオカメラシステムでは、記録部６０で撮像した画像の映像信号を記録媒体６１に記録する。マルチ画面の出力部６２は、記録媒体６１からの再生画像の中から特定の条件を満たすフレームを抽出し、抽出した複数のフレームの縮小画像で構成したマルチ画面の映像信号を出力する。ビデオプリンタ６３でマルチ画面の映像信号をプリントして、記録媒体６１の内容を示すプリント画像を得る。
【００１３】
図２は、実施の形態１におけるビデオカメラシステムの記録部６０の構成図である。図２において、１は撮像素子、２は信号処理回路、３は操作スイッチ、４はセンサー回路、５は操作情報獲得回路、６は多重化回路、７は記録回路、６１は記録媒体である。被写体の像は、撮像素子１で光電変換され、信号処理回路２で白バランス処理、ＡＧＣ（Auto Gain Control）処理などを施した後、映像信号として多重化回路６に供給される。信号処理において、設定した白バランスの色温度、ＡＧＣのゲイン、撮像画像から検出したカメラの手ぶれの速度、電子ズームのオン／オフ、および電子ズームの倍率などは、信号処理時の操作情報として、操作情報獲得回路５に供給される。撮影者によるスイッチ３の操作に関する情報、およびセンサー回路４が検知した信号も、操作情報獲得回路５に供給される。撮影者による操作情報は、露光モード（自動，ゲイン優先，シャッター速度優先，絞り優先，手動）、シャッター速度、白バランスモード（自動，ホールド，ワンプッシュ，プリセット）、手ぶれ補正のオン／オフ、および合焦制御モードを含む。センサー情報は、絞りの開度、焦点距離、および合焦距離を含む。
【００１４】
図３は実施の形態１のビデオカメラシステムの操作情報獲得回路５のブロック図である。図３において、９は第１のシフトレジスタ、１０は第２のシフトレジスタ、１１は第３のシフトレジスタ、１２はシリアルクロック発生部、１４はフレームカウンタ、１５は第４のシフトレジスタである。操作情報獲得回路５は、図３の構成によって、撮影者による操作情報、信号処理時の操作情報、センサー情報およびフレーム番号を、シリアル変換して操作情報として出力する。この動作の詳細は、図４を用いて以下に説明する。
【００１５】
図４は実施の形態１の操作情報獲得回路５および多重化回路６の動作を示すタイミングチャートである。フィールド同期信号（ｂ）は映像信号（ａ）の垂直ブランキング期間は"０"で、その他の期間では"１"である。フレームカウンタ１４は、フレームごとに１ずつ増えるフレーム番号を出力する。第１，第２，第３および第４のシフトレジスタ９，１０，１１および１５は、パラレル入力シリアル出力のレジスタで、フィールド同期信号が"１"の間は、それぞれ、撮影者による操作情報、信号処理時の操作情報、センサー情報およびフレーム番号がパラレル入力されている。フィールド同期信号が"０"の期間、すなわち映像信号の垂直ブランキング期間では、シリアルクロック発生部１２の出力するシリアルクロックに同期して、操作情報（ｃ）をシリアル出力する。４つのシフトレジスタは、第１、第２、第３、第４の順で接続されているため、操作情報は、撮影者による操作情報、信号処理時の操作情報、センサー情報、フレーム番号の順でシリアル出力される。
【００１６】
図５は実施の形態１の多重化回路６のブロック図で、１３はマルチプレクサである。マルチプレクサ１３には、フィールド同期信号が"１"の間は映像信号を出力し、フィールド同期信号が"０"の間は操作情報を出力する。これによって、多重化回路６は、映像信号の垂直ブランキング期間に操作情報が多重化された信号（ｄ）を出力する。記録回路７は多重信号を変調し、記録媒体６１に記録する。
【００１７】
（表１）は実施の形態１のビデオカメラシステムの第１のシフトレジスタ９に設定される撮影者の操作情報の内容を示す。
【００１８】
【表１】
2006246540.tif 000003
【００１９】
前記したように、撮影者による操作情報は、露光モード、シャッター速度、白バランスモード、手ぶれ補正のオン／オフ、および合焦制御モードを含む。露光モードに関しては、（表１）の（ａ）のように、４ビットのデータで示し、自動、ゲイン優先、シャッター速度優先、絞り優先および手動のいずれの露光モードで撮影したかを示す。シャッター速度は、水平走査周期（ＮＴＳＣ方式では約1/15750秒）の倍数で示し、（表１）の（ｂ）のように、１６ビットの整数ｃで示す。白バランスモードに関しては、（表１）の（ｃ）のように、３ビットのデータで示し、自動、ホールド、ワンプッシュ（全画面平均が無彩色になるように設定）、プリセット（屋外、屋内などに手動で設定）のいずれのモードで撮影したかを示す。手ぶれ補正のオン／オフについては、（表１）の（ｄ）のように、１ビットのデータで示す。合焦制御モードについては、（表１）の（ｅ）のように、１ビットのデータで、自動／手動を示す。
【００２０】
（表２）は実施の形態１のビデオカメラシステムの第２のシフトレジスタ１０に設定される信号処理時の操作情報の内容を示す。
【００２１】
【表２】
2006246540.tif 000004
【００２２】
前記したように、信号処理時の操作情報は、白バランスの設定色温度、ＡＧＣのゲイン、撮像画像から検出したカメラの手ぶれの速度、電子ズームのオン／オフ、および電子ズームの倍率を含む。白バランスの設定色温度に関しては、（表２）の（ａ）のように、４ビットのデータで示し、ろうそく、白熱電灯、低色温度蛍光灯、高色温度蛍光灯、屋外晴天、および屋外曇天のいずれの光源に合わせて色温度を設定したかを示す。ＡＧＣのゲインは３の倍数で示し、（表２）の（ｂ）のように、ゲイン＝−３＋ｂ×３の表現における整数ｂで示す。撮像画像から検出したカメラの手ぶれの大きさは、１フィールド当りの水平および垂直方向の手ぶれの大きさを２つの整数で示し、（表２）の（ｃ）のように、水平ｘ画素／フィールド、垂直ｙライン／フィールドによって示す。電子ズームのオン／オフについては、（表２）の（ｄ）のように、１ビットのデータで示す。電子ズームの倍率については、（表２）の（ｅ）のように、整数部２ビットおよび小数部５ビットからなる２進固定小数点表現ｚで示す。
【００２３】
（表３）は実施の形態１のビデオカメラシステムの第３のシフトレジスタ１１に設定されるセンサー情報の内容を示す。
【００２４】
【表３】
2006246540.tif 000005
【００２５】
前記したように、センサー情報は、絞りの開度、焦点距離、および合焦距離を含む。絞りの開度については、（表３）の（ａ）のように、Ｆ値を２a/8で表現したときの整数ａで示す。焦点距離については、（表３）の（ｂ）のように、撮像画像と水平画角の等しい35mmフィルムカメラの焦点距離をｅ×10f[mm]で表わした２つの整数ｅおよびｆで示す。合焦距離については、焦点が合っている被写体からカメラまでの距離を、（表３）の（ｃ）のようにｇ×10h[cm]で表わし、２つの整数ｇおよびｈで示す。
【００２６】
以上のように、本実施の形態のビデオカメラシステムの記録部６０は、多重化回路６で映像信号と操作情報とを多重化した信号を、記録回路７によって記録媒体６１に記録する。この記録信号では、映像信号と操作信号とが時間的に異なった領域にあり、映像信号と操作信号との分離が容易である。
【００２７】
図６は、実施の形態１におけるビデオカメラシステムのマルチ画面の出力部６２の構成図である。図６において、６１は記録媒体、１７は再生回路、１８は映像信号と操作情報との分離回路、１９は再生映像のフレームメモリ、６４は代表フレームの抽出手段、２１は縮小回路、６５はマルチ画面のフレームメモリである。再生回路１７が再生して復調した信号は、図４の（ｄ）に示した多重信号と同じく、映像信号と操作情報が時間軸多重された信号である。分離回路１８は、多重信号を再生映像信号と操作情報とに分離する。再生映像のフレームメモリ１９は、再生映像信号を１フレームの時間だけ遅延させる。代表フレームの抽出手段６４は、この遅延の間にそのフレームが特定条件を満たすかどうかを判断して、メモリ書込み制御パルスを出力する。
【００２８】
図７は実施の形態１の代表フレームの抽出手段６４のブロック図である。図７において、２７はＦ値の変化の終了を検出する回路、２８は白バランスの設定色温度の変化の終了を検出する回路、２９はパンニングの終了を検出する回路、３０はズーミングの終了を検出する回路、３１は加重和回路、３２は閾値処理回路、３３はアンドゲートである。検出回路２７，２８，２９および３０は、操作情報の中から絞り開度および白バランスの設定色温度、手ぶれの大きさ、および焦点距離を取り出して、それらの値が一定のフレーム数以上連続して増加もしくは減少した後、一定のフレーム数のあいだ連続して変化が無いとき、検出パルス＝"１"を出力する。その条件が満たされないときには、これらの検出回路２７，２８，２９および３０は、検出パルス＝"０"を出力する。加重和回路３１は、これら４つの検出パルスに重み付けして加える。例えば、検出回路２７および２８の出力する検出パルスの重みは１とし、検出回路２９および３０の出力する検出パルスの重みは２とする。閾値処理回路３２は、加重和回路３１が出力する加重和が、一定の閾値を越えれば"１"を出力し、閾値以下であれば"０"を出力する。これによって、パンニングもしくはズーミングの終了が検出されれば、閾値処理回路３２は"１"を出力する。あるいは、Ｆ値の変化の終了と同時に、白バランスの設定色温度の変化の終了も検出されたときにも、閾値処理回路３２は"１"を出力する。閾値処理回路３２の出力値は、再生映像のフレームメモリ１９が、操作情報に対応するフレームを出力している間、保持される。アンドゲート３３は、閾値処理回路３２が"１"を出力しているフレームの間はフィールド同期信号に一致し、他の間は"０"であるような、メモリ書込み制御パルスを出力する。
【００２９】
図８は実施の形態１の縮小回路２１およびマルチ画面のフレームメモリ６５のブロック図である。図８において、３４は水平方向のローパスフィルタ、３５は水平サブサンプリング回路、３６は垂直方向のローパスフィルタ、３７は垂直サブサンプリング回路、３８はフレームメモリ、３９はフレームメモリ書込み制御部、４０はフレームメモリ読出し制御部である。ローパスフィルタ３４および３６は、サブサンプリング回路３５および３７における間引き処理によって、再生映像信号の高周波成分が低周波に折り返すことを防いでいる。例えば、水平、垂直方向にともに１／２に縮小する場合には、ローパスフィルタ３４および３６によって、映像信号の周波数帯域を再生映像信号の１／２に制限して、サブサンプリング回路３５および３７によって、水平方向には２画素に１画素、垂直方向には２ラインに１ラインの割合で間引く。この動作によって、縮小回路２１は水平および垂直方向に間引いた映像信号を、フレームメモリ３８に供給する。
【００３０】
フレームメモリ書込み制御部３９は、代表フレームの抽出手段６４が出力するメモリ書込み制御パルスに従って、フレームメモリ３８に縮小映像信号を書き込む。縮小映像信号が、水平および垂直方向に１／２に縮小した画像である場合には、４枚の縮小画像を書き込めば、フレームメモリ３８は一杯になる。フレームメモリの読出し制御部４０は、フレームメモリ３８に格納されているマルチ画面を、フィールド同期信号に同期して読出し制御する。
【００３１】
以上のようにして、本実施の形態のビデオカメラシステムのマルチ画面の出力部６２は、記録媒体６１の再生信号の中から、特定条件を満たすフレームで構成されたマルチ画面の映像信号を得る。マルチ画面の映像信号を図１の構成によってビデオプリンタ６３でプリントすることにより、記録媒体６１に記録された画像の映像の概要を知ることができる。
【００３２】
なお、本実施の形態では、マルチ画面の出力部６２が出力するマルチ画面の映像信号を、ビデオプリンタ６３でプリントしたが、テレビなどの表示装置に表示してもよい。
【００３３】
また、本実施の形態では、操作情報獲得回路５は、操作情報を撮影者による操作情報、信号処理時の操作情報、センサー情報、フレーム番号の順で出力したが、出力する順番はこの順に限定されない。操作情報獲得回路５が出力する操作情報の順番は、例えば、絞り開度、露光モード、ＡＧＣゲイン、白バランスモードというように、センサー情報と、撮影者による操作情報と、信号処置時の操作情報とが混在していてもよい。
【００３４】
また、操作情報獲得回路５が出力する操作情報の内容は、（表１），（表２）および（表３）で示した表現に限定されない。例えば、（表２）の（ａ）の白バランスの設定色温度は、デカミレッド単位（ｄ＝105／Ｔ、ｄは整数、Ｔはケルビン単位の色温度）で表わしてもよい。また、（表２）の（ｃ）の手ぶれの大きさは、水平および垂直の１フィールド当りの手ぶれの大きさで表わしたが、１フレーム当りもしくは１秒当りの手ぶれの大きさで表わしてもよいし、手ぶれの向き（水平に対する角度）とその向きへの大きさで表わしてもよい。
【００３５】
また、本実施の形態において、代表フレームの抽出手段６４は、Ｆ値、設定色温度、パンニング、およびズーミングの終了を検出する回路によって構成したが、抽出手段６４の構成は、これに限定されるものではない。代表フレームの抽出手段６４は、操作情報から代表フレームを決定するための他の構成でもよく、例えば、露光モードの変更を検出する回路を用いてもよいし、合焦距離の変化を検出する回路を用いてもよい。
【００３６】
また、本実施の形態では抽出手段６４が、代表フレームを抽出したが、抽出手段６４と同様の構成によって重要フィールドを抽出してもよい。この場合、メモリ１９はフレームメモリではなくて、フィールドメモリでも十分である。
【００３７】
（実施の形態２）
本発明の実施の形態２におけるビデオカメラシステムの構成を図９に示す。図９において、６０は記録部、６１は記録媒体、６６は検索データの作成部、６７は再生画像の選択部である。本ビデオカメラシステムでは、記録部６０で撮像した画像の映像信号を記録媒体６１に記録する。検索データの作成部６６は、記録媒体６１からの再生画像の中から特定の条件を満たすフレームを抽出し、抽出したフレームのフレーム番号と、抽出フレームで構成したマルチ画面の映像信号とを多重化して記録する。再生画像の選択部６７は、使用者が選択したフレームを含む画像を再生し表示する。本実施の形態では、実施の形態１の記録部６０と同じ記録部を用い、検索データの作成部６６と再生画像の選択部６７を用いることによって、使用者が選択したフレームを含む画像の表示を可能にする。
【００３８】
図１０は、実施の形態２におけるビデオカメラシステムの検索データの作成部６６の構成図である。本実施の形態の検索データの作成部６６の構成が、実施の形態１のマルチ画面の出力部６２の構成（図６）と異なるのは、代表フレームの抽出手段２０がフレーム番号を出力し、多重化回路２４でマルチ画面の映像信号とフレーム番号とを多重化して、記録回路２５によって記録媒体６１に記録する点にある。
【００３９】
図１１は実施の形態２の代表フレームの抽出手段２０のブロック図である。本実施の形態の代表フレームの抽出手段２０は、実施の形態１の代表フレームの抽出手段６４（図７）にフレーム番号のレジスタ２６を加えた構成を持ち、メモリ書込み制御パルスと同時に、フレーム番号も出力する。
【００４０】
図１２は実施の形態２のフレーム番号のメモリ２２のブロック図である。図１２において、４１，４２，４３および４４は、第１，第２，第３および第４のレジスタ、４５は１／２分周回路、４６はシフトレジスタ、４７はシリアルクロック発生回路、４８はアンドゲートである。フレーム番号のメモリ２２は、図１２の構成によって、フレーム番号を、シリアル変換して出力する。この動作の詳細は、図１３を用いて以下に説明する。
【００４１】
図１３は実施の形態２のフレーム番号のメモリ２２および多重化回路２４の動作を示すタイミングチャートである。図１３のタイミングチャートは、簡単のために、代表フレームの抽出手段２０が、フレーム番号１，２，３および４のフレームを代表フレームとして抽出した場合の動作を示している。実際には、前記した代表フレームの抽出手段２０の動作において、連続したフレームが代表フレームとして抽出されることはない。
【００４２】
以下に、図１２および図１３に従って、実施の形態２のフレーム番号のメモリ２２の動作を説明する。１／２分周回路４５は、フィールド同期信号（図１３の（ｃ））を分周して、フレーム周期のパルスを出力する。アンドゲート４８は、代表フレームの抽出手段２０からのメモリ書込み制御パルス（図１３の（ｂ））と、分周回路４５が出力するフレーム周期のパルスとの論理積（図１３の（ｄ））を、レジスタ４１，４２，４３および４４に出力する。フレーム番号は、第１のレジスタ４１に供給されている。代表フレームにおいてアンドゲート４８が出力するパルスに同期して、第１のレジスタ４１に、代表フレームのフレーム番号がロードされる。シフトレジスタ４６は、フィールド同期信号が"１"の間にパラレルロードしたレジスタ４１，４２，４３および４４の出力を、フィールド同期信号が"０"の間に、シリアル出力する（図１３の（ｅ））。
【００４３】
図１４は、実施の形態２の多重化回路２４のブロック図で、４９はマルチプレクサである。マルチプレクサ４９は、フィールド同期信号が"１"の間はマルチ画面の映像信号（図１３の（ｆ））を選択し、フィールド同期信号が"０"の間はシフトレジスタ４６が出力する代表フレームの番号（図１３の（ｅ））を選択して、多重信号（図１３の（ｇ））を出力する。
【００４４】
記録回路２５は、マルチ画面のフレームメモリ２３が出力するメモリ書込み終了パルス（図１３の（ｈ））に従って、記録媒体６１に多重信号を記録する（記録信号を図１３の（ｉ）に示す）。
【００４５】
以上のように、本実施の形態のビデオカメラシステムの検索データの作成部６６では、多重化回路２４がマルチ画面と代表フレームの番号とを多重化した信号を、記録回路２５が記録媒体６１に記録する。
【００４６】
本実施の形態におけるビデオカメラシステムの再生画像の選択部６７の構成を図１５に示す。図１５において、６１は記録媒体、５１は再生回路、５２は映像信号とデータとの分離回路、５３は映像の表示手段、５４はマルチ画面の選択手段、５５はデータメモリである。記録媒体６１に記録されている信号は、撮像した画像の映像信号と撮像時のカメラの操作情報とを多重化した信号、および複数の代表フレームを縮小して１画面を構成するマルチ画面と代表フレームの番号とを多重化した信号である。再生回路５１は、まずマルチ画面とフレーム番号が多重化された信号を再生する。分離回路５２はマルチ画面の映像信号とフレーム番号とを分離し、マルチ画面の映像信号は表示手段５３によって表示され、フレーム番号はデータメモリ５５に格納される。本実施の形態のビデオカメラシステムを使用する者は、表示手段５３に表示されたマルチ画面の中から、再生したいフレームを選択し、データメモリ５５は使用者が選択したフレームの番号を再生回路５１に出力する。再生回路５１は、データメモリ５５から入力された番号を持つフレームを含んで、その前後の特定の数のフレームを再生する。分離回路５２は再生した信号を画像の映像信号と操作情報とに分離し、映像信号のみを表示手段５３に供給する。
【００４７】
以上のように、本実施の形態のビデオカメラシステムによれば、マルチ画面の中から使用者が選択したフレームを含む画像を再生し、表示することができる。
【００４８】
なお、本実施の形態において、記録回路２５がマルチ画面と代表フレームの番号とを多重化した信号を記録する媒体と、再生回路１７が映像信号と操作情報との多重信号を再生する媒体とは、同一の媒体６１であったが、記録回路２５は再生回路１７が再生した媒体とは別の媒体に記録してもよい。例えば、再生回路１７が磁気テープから再生して、記録回路２５が磁気テープと一体化した半導体メモリに記録してもよい。この場合、再生回路は磁気テープ用と半導体メモリ用の２つが必要であるが、分離回路５２は本実施の形態と同様に１つでよく、その他の部分も本実施の形態と同様に動作することで、使用者が選択したフレームを含む画像を再生し、表示することができる。
【００４９】
また、本実施の形態では使用者が選択したフレームの番号は再生回路に供給されたが、選択されたフレーム番号を媒体６１もしくは別の媒体に記録してもよい。この場合、使用者が選択した複数のフレームの番号に基づいて、それらのフレームを含む画像を順次再生することができる。また、このようにして順次再生された画像を記録すれば、撮像画像を使用者の指示にしたがって編集することが可能である。
【産業上の利用可能性】
【００５０】
本発明にかかるビデオカメラシステムは、記録媒体に記録された画像の中から、画像の内容を表す代表画像を抽出してマルチ画面として表示し、そのマルチ画面から再生したい代表画像を選択できるので、ビデオカメラシステムにおける検索や編集に有用である。
【図面の簡単な説明】
【００５１】
【図１】本発明の実施の形態１におけるビデオカメラシステムの構成図
【図２】本発明の実施の形態１におけるビデオカメラシステムの記録部の構成を示すブロック図
【図３】本発明の実施の形態１の操作情報獲得回路５の内部構成例を示すブロック図
【図４】本発明の実施の形態１の操作情報獲得回路５および多重化回路６の動作を示すタイミングチャート
【図５】本発明の実施の形態１の多重化回路６の内部構成例を示すブロック図
【図６】本発明の実施の形態１のマルチ画面の出力部６２の構成を示すブロック図
【図７】本発明の実施の形態１の代表フレームの抽出手段６４の内部構成例を示すブロック図
【図８】本発明の実施の形態１の縮小回路２１およびマルチ画面のフレームメモリ６５の内部構成例を示すブロック図
【図９】本発明の実施の形態２におけるビデオカメラシステムの構成図
【図１０】本発明の実施の形態２におけるビデオカメラシステムの検索データの作成部６６の構成を示すブロック図
【図１１】本発明の実施の形態２の代表フレームの抽出手段２０の内部構成例を示すブロック図
【図１２】本発明の実施の形態２のフレーム番号のメモリ２２の内部構成例を示すブロック図
【図１３】本発明の実施の形態２のフレーム番号のメモリ２２および多重化回路２４の動作を示すタイミングチャート
【図１４】本発明の実施の形態２の多重化回路２４の内部構成例を示すブロック図
【図１５】本発明の実施の形態２におけるビデオカメラシステムの再生画像の選択部６７の構成図
【図１６】従来のビデオカメラシステムの構成を示すブロック図
【符号の説明】
【００５２】
１  撮像素子
５  操作情報獲得回路
６，２４  多重化回路
７  記録回路
１７  再生回路
２０，６４  代表フレームの抽出手段
２１  縮小回路
２３，６５  マルチ画面のフレームメモリ
５４  マルチ画面の選択手段
６０  記録部
６１  記録媒体
６２  マルチ画面の出力部
６６  検索データの作成部
６７  再生画像の選択部
【図１】
2006246540.tif 000006
【図２】
2006246540.tif 000007
【図３】
2006246540.tif 000008
【図４】
2006246540.tif 000009
【図５】
2006246540.tif 000010
【図６】
2006246540.tif 000011
【図７】
2006246540.tif 000012
【図８】
2006246540.tif 000013
【図９】
2006246540.tif 000014
【図１０】
2006246540.tif 000015
【図１１】
2006246540.tif 000016
【図１２】
2006246540.tif 000017
【図１３】
2006246540.tif 000018
【図１４】
2006246540.tif 000019
【図１５】
2006246540.tif 000020
【図１６】
2006246540.tif 000021